(57)【特許請求の範囲】
【請求項１】
袋状の布類を処理装置に投入する際に整形するための装置であって、袋状の布類を整形する際にその開口を下向きにして、上方から布類をかぶせて上方へ引き抜くように投入部の前かつやや下位に設置される整形体を具備し、整形体は、上記布類の皺や乱れを整えるための左右一対の整形板と、上記整形板に拡げ動作を行わせる拡げ部を有し、さらに左右の整形板は布類の袋底が当たる角部を上端外部に有する袋状布類の整形装置。
【請求項２】
整形体は拡げ部として、中央の支持部と、支持部の左右に拡大、収縮可能に設けられた開閉リンクと、その駆動源とを有しており、拡げ部は、袋状の布類の最大幅まで整形板を拡げられるように構成されている請求項１記載の袋状布類の整形装置。
【請求項３】
整形体は、整形を終えた布類を上昇させ投入部へ投入するために、整形体全体を上昇させる整形体昇降部を有している請求項１記載の袋状布類の整形装置。
【発明の詳細な説明】
【技術分野】
【０００１】
本発明は、袋状の布類を処理装置に投入する際に整形するための装置に関するものである。
【背景技術】
【０００２】
リネンサプライシステムにおいて、枕カバーのような袋状布類を処理する場合、内部に入り込んでいる空気を取り除くのに苦労するという問題がある。このような袋状布類の整形に使用し得る装置として特開２００２−５８８９９号がある。同装置は吸引手段により袋状布類を反転させることができるものであり、その目的のためには十分効果的である。しかしながら、生地の表面が裏面に張り付いているものを剥がして整形するには力不足であり、皺を除き切れずそのまま処理に回すことができない場合も少なくない。そのため処理装置への投入の際に、表面と裏面の張り付きを剥がして整形する煩雑な作業を必要とすることになった。
【０００３】
【特許文献１】特開２００２−５８８９９号
【特許文献２】特開２０００−１８９６９９号
【発明の開示】
【発明が解決しようとする課題】
【０００４】
本発明は前記の事情に着目してなされたもので、その課題は、枕カバーのような袋状の布類に生じている表面と裏面の布の張り付きを剥がし、かつまた左右方向及び上下方向の皺を取り除いて、仕上がり品質を向上することができる袋状布類の整形装置を提供することである。
【課題を解決するための手段】
【０００５】
前記の課題を解決するため本発明は、袋状の布類を処理装置に投入する際に整形するための装置について、袋状の布類を整形する際にその開口を下向きにして、上方から布類をかぶせて上方へ引き抜く整形体を投入部の前かつやや下位に設置し、整形体は、上記布類の皺や乱れを整えるための左右一対の整形板と、上記整形板に拡げ動作を行わせる拡げ部を有し、さらに左右の整形板は布類の袋底が当たる角部を上端外部に有するものとするという手段を講じたものである。
【０００６】
本発明の対象とするものは、前記の枕カバーのような袋状構造を有する布類である。袋状構造としては、開口の部分だけを残して、他の部分を縫い合わせるなどして閉じたものを指すのが一般的であり、本発明でも同様に考えて良い。しかし例えばＴシャツ型の形状のものも、場合によっては対象となる可能性がある。
【０００７】
そのような布類は、開口を下向きにして、整形体にかぶせて取り付けるものとする。布類を整形体にかぶせることにより、取り付けが完了し、かつ布類に生じている表面と裏面の張り付きをほぼ剥がすことができるものであり、これによって主要な目的の一つを解消することができることになる。
【０００８】
整形体は、整形板と、整形板に拡げ動作を行わせる拡げ部を有するものとする。整形板は、例えば左右方向へ拡げられ、布類を内側からさばくようにして皺を取り除く作用を行う。そのため整形板は布類の上下方向の長さに対して短か過ぎてはさばくことができないので、布類の上下方向の長さに対して必要十分な長さを有することが望まれる。従って整形板は布類の上下方向の長さに対して有効な長さ、例えば２分の１以上を有するものとする。
【０００９】
拡げ部はその整形体を拡げる機能を有する。そのような機能を達する機構としては、様々な公知の開閉機構を適用することができる。例えば、中心となる支持部の左右に開閉リンクを設けてその先に整形板を取り付け、開閉リンクにシリンダー装置のピストンを駆動源として接続し、ピストンの伸長により整形板を左右へ拡げる構成を取ることができる。整形板を拡げた状態では、布類の最大幅まで整形板を拡げられるようになっていることが望ましい。布類のほぼ最大幅まで整形板を拡げることにより、布類は内側からさばかれることになる。
【００１０】
整形体は、整形を終えた布類を上昇させて、投入部へ投入するために、整形体全体を上昇下降させる整形体昇降部を有している。布類は、整形体にかぶせることにより取り付けられ、表面と裏面の張り付きを剥がされ、かつ整形板により左右方向に内側からさばかれて皺を取り除かれ、さらに下に引っ張ると残っている皺や上下方向のたるみもなくなり、かつ角が整えられる。このようにして整形を終えた布類を投入部へ投入するために、整形体投入部が組み合わされる。
【発明の効果】
【００１１】
本発明は以上のように構成されかつ作用するものであるから、枕カバーのような袋状の布類に生じている表面と裏面の張り付きを剥がし、かつまた左右方向及び上下方向の皺を取り除き整形を完成して、仕上がり品質を向上させることができるという効果を奏する。
【発明を実施するための最良の形態】
【００１２】
以下図示の実施形態を参照して本発明をより詳細に説明する。図１は処理装置１０の正面図、図２は図１の縦断面図を示している。処理装置１０は、例えばシーツのように大型の布類の投入処理も可能な開口幅を有しており、その正面に４基の本発明に係る袋状布類の整形装置１１が連設されている。各整形装置１１には毎回１個ずつ袋状の布類１２を掛けて整形することが可能であり、各々が図３、図４に示す構成を有している。
【００１３】
整形装置１１は、布類１２の皺や乱れを整えるための左右１対の整形板１５、１６と、中央の支持部１７と、支持部１７の左右に各々整形板１５、１６を取り付けるように拡大、収縮可能に設けられたリンク１８、１９と、その駆動源となるピストン装置を有している拡げ部２０とを具備している。リンク１８、１９は左右において上下２段に設けられており、夫々が連絡杆２１、２２により連絡され、左右のものが上下同時に拡げ動作を行うようになっている。
【００１４】
例示の整形装置１１では、枕カバーを処理対象としており、その枕カバーは１箇所の開口１３を有し、その開口１３を下向きにして整形体１４にかぶせるもので（図５）、この枕カバーに合わせて左右の整形板１５、１６の上下方向の長さが決められる。また、拡げ部２０による整形板１５、１６の拡げ動作も、枕カバー即ち布類１２の最大幅まで拡げられるようになっている。
【００１５】
さらに、中央の支持部１７は、設置床に据え付けられた支柱２３に、上下方向へ伸縮可能に設けられており、支柱２３には整形体昇降部としてピストンシリンダー装置２５が取り付けられている。２４はそのピストンであり、先端を支持部上端に取り付けている。また１５ａ、１６ａは上方角部であり、左右の整形板１５、１６の上端外部につの（角）のように突出させて設けてあるもので、袋状の布類１２の内隅部を拡げ、角を出す機能を持つ。中央の支持部１７には前後のカバー１７ａ、１７ｂが設けられており、整形板１５、１６の拡大収縮機構部を覆っている。
【００１６】
このように構成されている整形装置１１は、処理装置１０の正面に設定されている投入部２６の前方かつ下位に設置される。この処理装置１０は、中央下位に設置されたメインコンベア２７と、その上位に設置された投入コンベア２８及び投入コンベア正面に設置された投入クランプ２９を有しており、投入クランプ下位に位置する整形装置１１から布類１２を受け取り、処理装置１０による処理工程へ送るようになっている。
【００１７】
投入クランプ２９は、図６に詳細に示されており、２個の可動クランプ３１、３２と、各クランプ用駆動シリンダー３３及び回転シリンダー３４を有する。駆動シリンダー３３により摘みクランプ３１が相手クランプ３２の方向へ回転して布類１２をクランプし、回転シリンダー３４によりクランプ全体を水平に曲げ起こすように構成されている。３５はクランプ昇降装置、３６は同移動機であり、クランプ昇降装置３５はクランプ全体を整形装置１１まで下降及び上昇させ、同移動機３６は、クランプ昇降装置３５を前方の布類受け取り位置３７Ａと後方の布類投入位置３７Ｂとの間にて移動させる。３８は駆動モーターを示す。
【００１８】
このような本発明の整形装置１０の作動について、工程を追って説明すると、図７に示したのは、直立している整形装置１１の整形体１４に、布類１２を開口１３を下にしてかぶせた状態である。この状態において、自動又は手動でスイッチが入ると、整形板１５、１６が左右外方に拡がり、布類１２を内部で最大幅まで拡げ枕カバーの整形が行われる。このとき作業者Ｐは布類１２を下方へ引き、袋底が整形体上端に当たり、内隅が上方角部１５ａ、１６ａに押し当てられるようにして角を整える（図８Ａ）。
【００１９】
整形された布類１２は、ピストンシリンダー装置２５により整体係１４が上昇するにつれて全体として上昇し、上端にて受け渡し位置に到り、布類１２の受け渡しが開始される（図８Ｂ）。開始後クランプ３１が閉じて布類１２をクランプしたのち（図９Ａ）、移動機３６が移動を開始する（図９Ｂ）。クランプ昇降装置３５がクランプ３１、３２による受け取り位置３７Ａから横向きに変わり投入装置３７Ｂに移動すると、布類１２は投入コンベア２８上に殆ど横たえられるようになるので（図１０Ａ）、クランプ３１、３２を開いて放し、移動機３６はその後、受け取り位置まで戻り、次の布類１２に対する待機状態に戻る（図１０Ｂ）。
【００２０】
かくして、布類１２に対する整形が行われ、さらに整形状態となった布類１２を処理装置１０に投入する工程へと作業が順次行われるものである。しかも、処理装置１０は枕カバーのような小型の袋状の布類１２の専用機である必要がないので、本発明に係る整形装置１０を使用しない場合には、メインコンベア２７の前端を図２の矢印方向へ伸ばして整形装置１０をバイパスしてやれば、枕カバー以外にも、例えばシーツ、包布等幅広布類の投入が可能となる。
【図面の簡単な説明】
【００２１】
【図１】本発明に係る袋状布類の整形装置とその取り付け対象である処理装置を示す正面図。
【図２】図１のものに対する縦断面図。
【図３】本発明装置の実施形態における１例の外観を示すもので、Ａは上面図、Ｂは正面図。
【図４】同じく本発明装置の構成を示す１例の正面説明図。
【図５】本発明装置による整形作業を示す説明図。
【図６】クランプとその移動機の１例を示す説明図。
【図７】整形体に布類をかぶせている状態を示す説明図。
【図８】Ａは布類の整形を終えた状態、Ｂは整形体が上昇した状態の説明図。
【図９】Ａは整形体が下降し、布類がクランプされた状態、Ｂはクランプが移動を開始した状態の説明図。
【図１０】Ａはクランプが布類を放し、投入コンベア上に投入した状態、Ｂはクランプが原位置へ戻った状態の説明図。
【符号の説明】
【００２２】
１０  処理装置
１１  整形装置
１２  布類
１３  開口
１４  整形体
１５、１６  整形板
１７  支持部
１８、１９  リンク
２０  拡げ部
２１、２２  連絡杆
２３  支柱
２５  ピストンシリンダー装置
２７  メインコンベア
２８  投入コンベア
２９  投入クランプ
３１、３２  可動クランプ
３３  駆動シリンダー
３４  回転シリンダー
３５  クランプ昇降装置
３６  移動機
３７Ａ  布類受け取り位置
３７Ｂ  布類投入位置
【図１】
0004445439.tif 000002
【図２】
0004445439.tif 000003
【図３】
0004445439.tif 000004
【図４】
0004445439.tif 000005
【図５】
0004445439.tif 000006
【図６】
0004445439.tif 000007
【図７】
0004445439.tif 000008
【図８】
0004445439.tif 000009
【図９】
0004445439.tif 000010
【図１０】
0004445439.tif 000011